(57)【特許請求の範囲】
【請求項１】
所定の認証処理を実施可能な複数の携帯無線装置との間で通信可能な情報処理装置であって、
前記携帯無線装置の識別情報および前記識別情報の前記携帯無線装置と当該情報処理装置との間で前記所定の認証処理を行うための優先度情報を対応付けて記憶する記憶部と、
前記優先度情報に基づいて、前記複数の携帯無線装置から前記所定の認証処理を行う携帯無線装置を指定する装置指定部と、
前記装置指定部によって指定された携帯無線装置との間で前記所定の認証処理を行う認証処理部と、
前記携帯無線装置を探索するためのサーチ要求信号に対する前記携帯無線装置からの応答を示すサーチ信号を受信する受信部と、
前記受信部によって受信されたサーチ信号の受信レベルを測定する受信レベル測定部と、
を有し、
前記記憶部は、前記携帯無線装置の識別情報および前記識別情報の前記携帯無線装置からの前記サーチ信号の受信レベルを対応付けて記憶し、
前記装置指定部は、前記受信レベルおよび前記サーチ信号の受信時間に基づいて、前記複数の携帯無線装置から前記所定の認証処理を行う携帯無線装置を指定する
情報処理装置。
【請求項２】
請求項１に記載の情報処理装置であって、
当該情報処理装置の少なくとも一部の機能制限を前記装置指定部によって指定された携帯無線装置により解除する期間を示す使用権限付与期間が終了した時点で計時を開始するタイマを有し、
前記装置指定部は、前記計時を開始してから所定期間が経過した場合、かつ、前記装置指定部によって指定された携帯無線装置からの信号の受信レベルが前記計時の開始後において継続して所定レベル未満である場合、前記優先度情報に基づいて、前記複数の携帯無線装置のうち当該装置指定部によって指定された携帯無線装置以外の携帯無線装置を示す切替対象装置から、前記所定の認証処理を行う携帯無線装置を新たに指定する
情報処理装置。
【請求項３】
請求項２に記載の情報処理装置であって、
前記装置指定部は、前記計時を開始してから所定期間が経過した場合、かつ、前記計時の開始後において前記装置指定部によって指定された携帯無線装置からの信号の受信レベルが継続して所定レベル未満である場合、前記受信レベルに基づいて、前記切替対象装置から前記所定の認証処理を行う携帯無線装置を新たに指定する
情報処理装置。
【請求項４】
請求項３に記載の情報処理装置であって、
前記装置指定部は、前記計時を開始してから所定期間が経過した場合、かつ、前記計時の開始後において前記装置指定部によって指定された携帯無線装置からの信号の受信レベルが継続して所定レベル未満である場合、前記所定期間の経過後に前記受信部によって受信されたサーチ信号の受信時間に基づいて、前記切替対象装置から前記所定の認証処理を行う携帯無線装置を新たに指定する
情報処理装置。
【請求項５】
請求項２ないし４のいずれか１項に記載の情報処理装置であって、更に、
当該情報処理装置の設定を変更する設定変更部を有し、
前記記憶部は、更に、前記携帯無線装置の識別情報および前記識別情報の前記携帯無線装置と当該情報処理装置との間で前記所定の認証処理を行う場合の当該情報処理装置の設定情報を対応付けて記憶し、
前記設定変更部は、前記装置指定部によって前記所定の認証処理を行う携帯無線装置が新たに指定された際、前記新たに指定された携帯無線装置に対応する前記設定情報に基づいて、当該情報処理装置の設定を変更する
情報処理装置。
【請求項６】
請求項２ないし４のいずれか１項に記載の情報処理装置であって、更に、
前記装置指定部によって前記所定の認証処理を行う携帯無線装置として第１の携帯無線装置に代わり第２の携帯無線装置が新たに指定される際、前記第１の携帯無線装置の識別情報および新たに指定する際に当該情報処理装置によって処理されている処理情報を対応付けて前記記憶部に記憶させる処理情報記録部を有する
情報処理装置。
【請求項７】
請求項６に記載の情報処理装置であって、更に、
前記装置指定部によって前記第２の携帯無線装置が新たに指定された後に前記第１の携帯無線装置が新たに指定された場合、前記第２の携帯無線装置に対応する前記処理情報に基づいて、当該情報処理装置の状態を復元する状態復元部を有する
情報処理装置。
【発明の詳細な説明】
【技術分野】
【０００１】
本発明は、所定の認証処理を実施可能な複数の無線装置との間で通信可能な情報処理装置、所定の認証処理を実施可能な携帯無線装置、情報処理装置の認証方法、およびプログラムに関する。
【背景技術】
【０００２】
近年、携帯無線装置の一例であるワイヤレスキーから受信する電波の受信強度が所定値以上であり、かつその無線通信を利用して送受信する信号を基にワイヤレスキーとの認証に成功したと判定した場合にロックを解除し、ワイヤレスキーから受信する電波の受信強度が所定値未満である場合やワイヤレスキーとの上記認証に失敗したと判定した場合にロックする、無線認証機能を備えた情報処理装置が提案されている（例えば、特許文献１）。実用化されている情報処理装置の一例としては、ワイヤレスキーと無線認証を行ってドア鍵の施錠または解錠を行う自動車、または、ワイヤレスキーと無線認証を行って操作キーによる受付を拒否または許可する携帯電話、等が挙げられる。
【０００３】
また、１台の情報処理装置と無線認証を行うためのワイヤレスキーが複数存在する場合、複数のワイヤレスキーのいずれかと情報処理装置との間で無線認証を行うことが可能な情報処理装置が知られている（例えば、特許文献１参照）。
【０００４】
【特許文献１】特開２００４−１４３８０６号公報
【発明の開示】
【発明が解決しようとする課題】
【０００５】
特許文献１ではワイヤレスキーと情報処理装置とが各１台ずつである場合を想定しており、この場合には容易にキーを選別し無線認証を行うことが可能であるが、複数のワイヤレスキーのいずれかと情報処理装置との間で無線認証を行う場合、特定のワイヤレスキーを選別し無線認証を行うことができなかった。したがって、特定のワイヤレスキーと情報処理装置との間でのみ無線認証を許可することはできなかった。
【０００６】
本発明は、上記事情に鑑みてなされたもので、特定の携帯無線装置と情報処理装置との間でのみ無線認証を許可することが可能な情報処理装置、携帯無線装置、認証方法、およびプログラムを提供することを目的とする。
【課題を解決するための手段】
【０００７】
上記目的を達成するために、本発明の情報処理装置は、所定の認証処理を実施可能な複数の携帯無線装置との間で通信可能な情報処理装置であって、前記携帯無線装置の識別情報および前記識別情報の前記携帯無線装置と当該情報処理装置との間で前記所定の認証処理を行うための優先度情報を対応付けて記憶する記憶部と、前記優先度情報に基づいて、前記複数の携帯無線装置から前記所定の認証処理を行う携帯無線装置を指定する装置指定部と、前記装置指定部によって指定された携帯無線装置との間で前記所定の認証処理を行う認証処理部と、前記携帯無線装置を探索するためのサーチ要求信号に対する前記携帯無線装置からの応答を示すサーチ信号を受信する受信部と、前記受信部によって受信されたサーチ信号の受信レベルを測定する受信レベル測定部と、を有し、前記記憶部が、前記携帯無線装置の識別情報および前記識別情報の前記携帯無線装置からの前記サーチ信号の受信レベルを対応付けて記憶し、前記装置指定部が、前記受信レベルおよび前記サーチ信号の受信時間に基づいて、前記複数の携帯無線装置から前記所定の認証処理を行う携帯無線装置を指定する構成としている。
【０００８】
この構成により、特定の携帯無線装置と情報処理装置との間でのみ無線認証を許可することが可能である。例えば、あらかじめ優先度を設定しておくことで、その優先度が最高の携帯無線装置を、所定の認証処理を行う装置として選択することが可能である。また、例えば、サーチ信号やその他の信号の受信レベルを測定し、その受信レベルが最高の携帯無線装置を、所定の認証処理を行う装置として選択することが可能である。また、例えば、サーチ要求信号に対するサーチ信号の受信時間を監視し、最初に受信したサーチ信号を送信した携帯無線装置を、所定の認証処理を行う装置として選択することが可能である。
【００１３】
また、本発明の情報処理装置は、当該情報処理装置の少なくとも一部の機能制限を前記装置指定部によって指定された携帯無線装置により解除する期間を示す使用権限付与期間が終了した時点で計時を開始するタイマを有し、前記装置指定部が、前記計時を開始してから所定期間が経過した場合、かつ、前記装置指定部によって指定された携帯無線装置からの信号の受信レベルが前記計時の開始後において継続して所定レベル未満である場合、前記優先度情報に基づいて、前記複数の携帯無線装置のうち当該装置指定部によって指定された携帯無線装置以外の携帯無線装置を示す切替対象装置から、前記所定の認証処理を行う携帯無線装置を新たに指定する構成としている。
【００１４】
この構成により、例えば、認証処理を行っている携帯無線装置が認証エリアから認証エリアの外側の通信圏外エリアへ移動した場合、他の携帯無線装置へ所定の認証処理を行う携帯無線装置を切り替えることが可能である。例えば、上記他の携帯無線装置のうちで最高の優先度の携帯無線装置へ切り替えることが可能である。
【００１５】
また、本発明の情報処理装置は、前記装置指定部が、前記計時を開始してから所定期間が経過した場合、かつ、前記計時の開始後において前記装置指定部によって指定された携帯無線装置からの信号の受信レベルが継続して所定レベル未満である場合、前記受信レベルに基づいて、前記切替対象装置から前記所定の認証処理を行う携帯無線装置を新たに指定する構成としている。
【００１６】
この構成により、例えば、認証処理を行っている携帯無線装置が認証エリアから認証エリアの外側の通信圏外エリアへ移動した場合、他の携帯無線装置へ所定の認証処理を行う携帯無線装置を切り替えることが可能である。例えば、上記他の携帯無線装置のうちで最高の信号受信レベルの携帯無線装置へ切り替えることが可能である。
【００１７】
また、本発明の情報処理装置は、前記装置指定部が、前記計時を開始してから所定期間が経過した場合、かつ、前記計時の開始後において前記装置指定部によって指定された携帯無線装置からの信号の受信レベルが継続して所定レベル未満である場合、前記所定期間の経過後に前記受信部によって受信されたサーチ信号の受信時間に基づいて、前記切替対象装置から前記所定の認証処理を行う携帯無線装置を新たに指定する構成としている。
【００１８】
この構成により、例えば、認証処理を行っている携帯無線装置が認証エリアから認証エリアの外側の通信圏外エリアへ移動した場合、他の携帯無線装置へ所定の認証処理を行う携帯無線装置を切り替えることが可能である。例えば、通信県外エリアへ移動後の所定期間経過後に、上記他の携帯無線装置のうちで当該情報処理装置が最初に受信したサーチ信号を送信した携帯無線装置へ切り替えることが可能である。
【００１９】
また、本発明の情報処理装置は、当該情報処理装置の設定を変更する設定変更部を有し、前記記憶部が、更に、前記携帯無線装置の識別情報および前記識別情報の前記携帯無線装置と当該情報処理装置との間で前記所定の認証処理を行う場合の当該情報処理装置の設定情報を対応付けて記憶し、前記設定変更部が、前記装置指定部によって前記所定の認証処理を行う携帯無線装置が新たに指定された際、前記新たに指定された携帯無線装置に対応する前記設定情報に基づいて、当該情報処理装置の設定を変更する構成としている。
【００２０】
この構成により、所定の認証処理を行う携帯無線装置の切替時に、所定の認証処理を行う携帯無線装置に応じて、当該情報処理装置の設定の変更が可能となる。
【００２１】
また、本発明の情報処理装置は、前記装置指定部によって前記所定の認証処理を行う携帯無線装置として第１の携帯無線装置に代わり第２の携帯無線装置が新たに指定される際、前記第１の携帯無線装置の識別情報および新たに指定する際に当該情報処理装置によって処理されている処理情報を対応付けて前記記憶部に記憶させる処理情報記録部を有する構成としている。
【００２２】
この構成により、所定の認証処理を行う携帯無線装置の切替時に、切替前の携帯無線装置の識別情報と対応付けて、情報処理装置の状態やその時点で処理されている内容を処理情報として記憶することが可能である。
【００２３】
また、本発明の情報処理装置は、前記装置指定部によって前記第２の携帯無線装置が新たに指定された後に前記第１の携帯無線装置が新たに指定された場合、前記第２の携帯無線装置に対応する前記処理情報に基づいて、当該情報処理装置の状態を復元する状態復元部を有する構成としている。
【００２４】
この構成により、所定の認証処理を行う携帯無線装置を元の携帯無線装置に戻す場合には、レジューム情報として記録した処理情報に基づいて情報処理装置の状態を復元可能である。
【発明の効果】
【００２９】
本発明によれば、特定の携帯無線装置と情報処理装置との間でのみ無線認証を許可することが可能である。
【発明を実施するための最良の形態】
【００３０】
以下、本発明の実施形態の情報処理装置、携帯無線装置、認証方法、およびプログラムについて詳細に説明する。
【００３１】
本発明の実施形態の情報処理装置には、セキュリティ向上の観点から、当該情報処理装置に備わる機能の少なくとも一部に制限が加えられている。本発明の実施形態の携帯無線装置と情報処理装置の間では、この制限を解除するために、所定の認証処理（無線認証）が後述する通信認証シーケンスによって行われる。この通信認証シーケンスには、携帯無線装置と情報処理装置の間の通信モードとして、所定の認証処理を行うための携帯無線装置を探索するためのサーチモードと、探索された携帯無線装置と情報処理装置の間で所定の認証処理を行うことで情報処理装置の機能制限を解除するための認証モードとがある。
【００３２】
本発明の実施形態の携帯無線装置として、例えば無線通信機能を備えるワイヤレスキーがある。
【００３３】
［携帯無線装置と情報処理装置の位置関係］
図８は、本発明の実施形態の携帯無線装置および情報処理装置の位置関係の一例を示す図である。図８では、１台の情報処理装置２１と複数の携帯無線装置１１（１１Ａ、１１Ｂ、・・・、１１Ｊ）とが存在する場合に、いずれかの携帯無線装置１１と所定の認証処理を実施することを想定している。また、図８には、情報処理装置２１からの距離が等しい位置を結んだ同心円状の範囲が記されており、情報処理装置２１からの距離が短い順にそれぞれ、使用権限付与エリア、存在確認エリア、通信圏外エリアとなっている。
【００３４】
使用権限付与エリアは、そのエリアに所在する携帯無線装置１１のうち情報処理装置２１との間で所定の認証処理を実施するための携帯無線装置を決定し、決定された携帯無線装置と情報処理装置２１との間で所定の認証処理を実施することが可能であり、情報処理装置２１の機能制限を解除可能なエリアである。図８では、このエリア内に携帯無線装置の一例であるＫＥＹ１１Ａ、１１Ｂが所在している。
【００３５】
存在確認エリアは、そのエリアに所在する携帯無線装置１１のうち情報処理装置２１との間で所定の認証処理を行うための携帯無線装置を決定することはできるが、実際の所定の認証処理を行うことはできず、情報処理装置２１の機能制限を解除することが不可能なエリアである。図８では、このエリア内に、携帯無線装置の一例であるＫＥＹ１１Ｃ、１１Ｄが所在している。
【００３６】
通信圏外エリアは、そのエリアに所在する携帯無線装置１１のうち情報処理装置２１との間で所定の認証処理を行うための携帯無線装置を決定することができず、したがって、実際の所定の認証処理を行うことができず、情報処理装置２１の機能制限を解除することが不可能なエリアである。図８では、このエリア内に、携帯無線装置の一例であるＫＥＹ１１Ｅ、１１Ｆ、１１Ｇ、１１Ｈ、１１Ｉ、１１Ｊが所在している。
【００３７】
なお、使用権限付与エリア、存在確認エリアをあわせて認証エリアとも呼ぶ。
【００３８】
また、使用権限付与エリアに複数の携帯無線装置１１が所在する場合、所定の条件を満たす場合には所定の認証処理を行うため携帯無線装置を切り替えることがある。このような切替は、後述する通信認証シーケンスによって行われる。
【００３９】
なお、以下の説明において、単に携帯無線装置１１として説明する場合には、携帯無線装置１１Ａ〜１１Ｊ共通に説明しているものとする。
【００４０】
［携帯無線装置と情報処理装置の間での無線認証シーケンス］
次に、無線認証を開始していない携帯無線装置および情報処理装置による処理、および、相手装置と無線認証を開始し、無線認証を継続する携帯無線装置および情報処理装置による一連の処理について、説明する。ここでは、情報処理装置２１の周囲に複数の携帯無線装置１１Ａ、１１Ｂ、１１Ｃが所在している場合を想定している。
【００４１】
図１に、本発明の実施形態の携帯無線装置および情報処理装置によるサーチモード時のシーケンスを示す。図１では、携帯無線装置１１Ａ（図１ではＫＥＹ１１Ａ）が無線認証を行う携帯無線装置として選択されるための所定の選択条件を満たしており、携帯無線装置１１Ａのサーチに成功する場合の一例について示している。
【００４２】
なお、所定の選択条件を満たす携帯無線装置としては、以下のような装置である。
・携帯無線装置の中で、情報処理装置２１との距離が短く、その携帯無線装置からの受信レベルが最大である携帯無線装置
・携帯無線装置の中で、情報処理装置２１において、優先度が最高である携帯無線装置
・  情報処理装置２１が最初に受信したサーチ信号を送信した携帯無線装置
【００４３】
携帯無線装置１１Ａ、１１Ｂ（図１ではＫＥＹ１１Ｂ）、１１Ｃ（図１ではＫＥＹ１１Ｃ）は、ある周期Ｔでサーチチャネルのキャリアセンスを繰り返す（携帯無線装置１１Ａは、図１における「○」で示す時点で、サーチチャネルのキャリアセンスを実施している。携帯無線装置１１Ｂ、１１Ｃについても、図示はしていないが、同様である）。
【００４４】
一方、情報処理装置２１は、少なくとも携帯無線装置１１のキャリアセンス周期Ｔ以上の期間、サーチ要求信号を送信する（図１におけるサーチ要求信号を表す太矢印の幅が、キャリアセンス周期Ｔ以上の期間に対応）。情報処理装置２１は、携帯無線装置１１のキャリアセンスＴ以上の期間、サーチ要求信号を送信することによって、携帯無線装置１１にサーチ要求信号を受信させることができるようにしている。なお、情報処理装置２１は、いずれの携帯無線装置１１からもサーチ信号を受信することが無いまま所定の回数サーチ要求信号を送信した場合、サーチ要求信号の送信を停止する、あるいはサーチ要求信号を送信する周期を長くすることによって、情報処理装置２１の省電力化を図るようにしてもよい。
【００４５】
ここで、サーチ信号などの各種信号が複数の携帯無線装置１１から送信される場合、これらの信号が同時に送信されることで信号の衝突が発生することを防止するために、以下のような処理を行う。
【００４６】
例えば、サーチ要求信号を受信した携帯無線装置１１Ａ〜１１Ｃは、それぞれ乱数を生成し、生成した値に応じたタイミングでサーチ信号を送信する。情報処理装置２１は、携帯無線装置１１Ａ〜１１Ｃから少なくとも２つのサーチ信号を同時に受信すると、サーチ信号の再送要求を、同時にサーチ信号を送信した携帯無線装置へ送信する。そして、再送要求を受信した携帯無線装置は、再度乱数を生成し、生成した値に応じたタイミングでサーチ信号を再送する。上記の処理を、情報処理装置２１が異なるタイミングで携帯無線装置から再送されたサーチ信号を受信するまで繰り返す。なお、この処理は信号衝突を防止するための処理の一例であり、これ以外の方法で信号衝突を防止してもよい。
【００４７】
携帯無線装置１１は、キャリアセンス実行時に、無線通信圏内にいる情報処理装置２１からサーチ要求信号を受信すると、例えば先に説明した方法でサーチ信号を送信するタイミングを決定し、情報処理装置２１にサーチ信号を送信する。
【００４８】
そして、情報処理装置２１は、サーチ信号を受信し、サーチ信号を１つだけ受信した場合には、サーチ応答をサーチ信号の送信元の携帯無線装置に送信する。一方、情報処理装置２１は、サーチ信号を複数受信した場合には、サーチ信号を所定の選択条件を満たす携帯端末装置のみに送信する。この所定の選択条件（例えば、信号の受信レベルや優先度の条件）は、先に説明した通りである。図１では、携帯無線装置１１Ａが所定の選択条件を満たしている。
【００４９】
サーチ応答を受信した携帯無線装置１１Ａは、自機（携帯無線装置１１Ａ）を識別する識別符号を含むキーＩＤ信号を情報処理装置２１に送信する。そのキーＩＤ信号を受信した情報処理装置２１は、そのキーＩＤ信号に含まれる識別符号と、自機（情報処理装置２１）がデータとして予め記憶している識別符号（この識別符号は、無線認証を行う上で情報処理装置２１と対になる携帯無線装置１１Ａの識別符号である。）と、が一致するか否かを判定し、一致していれば自機（情報処理装置２１）を識別する識別符号を含む端末ＩＤ信号を携帯無線装置１１Ａに送信する。なお、携帯無線装置１１および情報処理装置２１は、無線認証を開始する前に、ペアリング処理を実施してお互いの識別符号を交換し、自装置の識別符号と相手装置の識別符号とを一対のものとして登録している。
【００５０】
端末ＩＤ信号を受信した携帯無線装置１１Ａは、以後、情報処理装置２１との間でチャレンジアンドレスポンス方式を用いた信号の送受信を行う。すなわち、端末ＩＤ信号を受信した携帯無線装置１１Ａは、チャレンジリクエスト信号を情報処理装置２１に送信する。チャレンジリクエスト信号を受信した情報処理装置２１は、乱数を発生させて生成したチャレンジ信号を携帯無線装置１１Ａに送信するとともに、そのチャレンジ信号を携帯無線装置１１Ａと共通の暗号化処理によって暗号化した暗号化信号を記憶する。チャレンジ信号を受信した携帯無線装置１１Ａは、このチャレンジ信号に対して情報処理装置２１と共通の暗号化処理を行って生成したレスポンス信号を情報処理装置２１に送信する。レスポンス信号を受信した情報処理装置２１は、そのレスポンス信号と、チャレンジ信号を携帯無線装置１１Ａに送信したときに記憶しておいた暗号化信号と、を比較し照合する。情報処理装置２１は、それらの信号が一致していれば、携帯無線装置１１Ａとの認証に成功したと判定し、認証に成功した旨を知らせるＡＣＫ信号を携帯無線装置１１Ａに送信する。携帯無線装置１１Ａは、そのＡＣＫ信号を受信する。
【００５１】
上述したシーケンスのうち、情報処理装置２１がサーチ要求信号の送信を開始してから携帯無線装置１１ＡがＡＣＫ信号を受信するまでの期間を第１モード（情報処理装置２１と携帯無線装置１１Ａの間の通信モード）がサーチモードである期間と称する（なお、情報処理装置２１がサーチ要求信号の送信を開始してから携帯無線装置１１Ａが端末ＩＤ信号を受信するまでの期間を第１モードがサーチモードである期間、携帯無線装置１１Ａがチャレンジリクエスト信号を送信してから携帯無線装置１１ＡがＡＣＫ信号を受信するまでの期間を第１モードが初期（プレ）認証モードである期間、とそれぞれ称されることがある。）。また、ＡＣＫ信号を送信または受信した以降、情報処理装置２１および携帯無線装置１１Ａは、第１モードが後述する認証モードに遷移することになる。
【００５２】
ところで、情報処理装置２１は、上述のシーケンスで示した各種信号の送受信を行うと共に、携帯無線装置１１から受信した各種信号のうち、一部の信号（または全ての信号）の受信強度を計測する、または、情報処理装置２１から受信した信号の受信強度を計測する携帯無線装置１１からその受信強度を通知されている。
【００５３】
レスポンス信号を受信した情報処理装置２１は、携帯無線装置１１との認証に成功したと判定した場合、そのレスポンス信号を受信するまでに計測したまたは通知された信号の受信強度が所定値未満であれば、ＡＣＫ信号を携帯無線装置１１に送信して認証モードに遷移するものの、情報処理装置２１に備わる機能の少なくとも一部に対する制限を継続する。一方、情報処理装置２１は、そのレスポンス信号を受信するまでに計測したまたは通知された信号の受信強度が所定値以上であれば、ＡＣＫ信号を携帯無線装置１１に送信して認証モードに遷移し、情報処理装置２１に備わる機能の少なくとも一部に対する制限を解除する。
【００５４】
なお、携帯無線装置１１は、その携帯無線装置がサーチモードである場合（無線認証を行うための携帯無線装置として情報処理装置２１に選択されなかった場合）には、省電力モードとすることができる。この場合、例えば携帯無線装置のキャリアセンスの間隔を長くする。
【００５５】
次に、第１モードが認証モードとなった後のシーケンスについて、説明する。図２および図３に、本発明の実施形態の携帯無線装置および情報処理装置による第１モードが認証モード時のシーケンスを示す。
【００５６】
なお、第１モードが認証モードである場合には、基本的に、第２モード（情報処理装置２１と携帯無線装置１１Ｂの間の通信モード）および第３モード（情報処理装置２１と携帯無線装置１１Ｃの間の通信モード）はサーチモードとなっている。
【００５７】
携帯無線装置１１Ａおよび情報処理装置２１は、相手装置との同期をとるために、携帯無線装置１１Ａが、レスポンス信号を情報処理装置２１に送信した時点を起点として計時を開始し、一方、情報処理装置２１が、レスポンス信号を携帯無線装置１１Ａから受信した時点を起点として計時を開始するものとする。なお、携帯無線装置１１Ａおよび情報処理装置２１がレスポンス信号を送受信した時点を起点として計時を開始するよう説明したが、他の信号を同期信号に用いても構わない。また、情報処理装置２１は、携帯無線装置１１Ａから受信する各種信号のフレーム同期に合わせて、計時時刻を補正するものとする。
【００５８】
携帯無線装置１１Ａは、情報処理装置２１から送信される信号を受信すべく、計時を開始してから２Ｔの周期で認証チャネルおよびサーチチャネルのキャリアセンスを繰り返す。第１モードが認証モードに遷移した情報処理装置２１は、以後、携帯無線装置１１Ｂが認証チャネルおよびサーチチャネルのキャリアセンスするタイミングに合わせるために、同期をとった時点から２Ｔの周期の任意の時点で、サーチ要求信号を携帯無線装置１１Ａ〜１１Ｃに送信する。このサーチ要求信号を受信した後の無線装置１１の動作については後述する。なお、このサーチ要求信号は、キャリアセンスの間隔を長くした場合の携帯無線装置１１Ａが受信可能となる程度に所定の期間送信することが可能である。
【００５９】
また、携帯無線装置１１Ａは、計時を開始してからＴの周期で、サーチチャネルのキャリアセンスを実施する場合がある。携帯無線装置１１Ａによるサーチチャネルのキャリアセンスは、携帯無線装置１１Ａと対に設定されている情報処理装置が複数台携帯無線装置１１Ａに登録されており、無線認証を行っていない情報処理装置から送信されてくる信号を受信するために、実施される。なお、携帯無線装置１１Ａは、認証チャネルのキャリアセンスを実施するタイミングとサーチチャネルのキャリアセンスを実施するタイミングとが重複する場合があるが、このような場合、認証チャネルのキャリアセンスを先に行い、情報処理装置からの電波を検出できない場合にサーチチャネルのキャリアセンスを行う、という処理で対応する。
【００６０】
なお、情報処理装置２１および携帯無線装置１１Ａにおいて、サーチチャネルのキャリアセンスでは、サーチ要求信号およびサーチ要求信号に対する応答を示すＡＣＫ信号が検出され、認証チャネルのキャリアセンスでは、チャレンジ信号およびレスポンス信号が検出される。
【００６１】
情報処理装置２１は、第１モードが認証モードに遷移する直前のレスポンス信号を受信してから時間２Ｔが経過したとき、その時点までに乱数を発生させて生成しておいたチャレンジ信号を携帯無線装置１１Ａに送信するとともに、そのチャレンジ信号と、そのチャレンジ信号を携帯無線装置１１Ａと共通の暗号化処理によって暗号化した暗号化信号と、を記憶する。チャレンジ信号を受信した携帯無線装置１１Ａは、このチャレンジ信号と、このチャレンジ信号に対して情報処理装置２１と共通の暗号化処理を行って生成したレスポンス信号と、を記憶するとともに、そのレスポンス信号を情報処理装置２１に送信する。レスポンス信号を受信した情報処理装置２１は、そのレスポンス信号と、チャレンジ信号を携帯無線装置１１Ａに送信したときに記憶しておいた暗号化信号と、を比較し照合する。情報処理装置２１は、それらの信号が一致していれば、携帯無線装置１１Ａとの認証に成功したと判定する。なお、情報処理装置１１は、定期的に認証を行うために、前回のチャレンジ信号の携帯無線装置１１Ｂへの送信（後述する再送を除く）から時間１６Ｔが経過する毎に、チャレンジ信号を送信する。
【００６２】
なお、情報処理装置２１は、携帯無線装置１１Ｂとの認証に失敗した（成功しなかった）と判定した場合、そのチャレンジ信号の送信から時間２Ｔを経過したときに、そのチャレンジ信号を携帯無線装置１１Ａに再送する。再送されたチャレンジ信号に対するレスポンス信号に基づく比較照合においても認証に失敗した場合には、その再送したチャレンジ信号の送信から時間２Ｔを経過したときに、そのチャレンジ信号を携帯無線装置１１Ａに再送する。そして、所定回数以上、携帯無線装置１１Ａとの認証に失敗した場合には、情報処理装置２１は、第１モードを認証モードからサーチモードに遷移させることが可能である。
【００６３】
ここで、図示はしないが、第１モードが認証モードの場合に、情報処理装置２１が携帯無線装置１１Ａとの認証に失敗する場合（例えば、レスポンス信号を受信できない場合）の具体的なシーケンスについて、説明する。なお、ここでは上記の所定回数を３回としている。
【００６４】
情報処理装置２１は、１６Ｔの周期で、チャレンジ信号を送信するが、それらのチャレンジ信号に対する携帯無線装置１１Ａからのレスポンス信号を受信できない場合、チャレンジ信号を送信した時点から２Ｔ後に、同じチャレンジ信号を再送する。情報処理装置２１は、チャレンジ信号再送１に対する携帯無線装置１１からのレスポンス信号を受信することができれば、チャレンジ信号（再送を除く）を携帯無線装置１１Ａに送信してから１６Ｔ経過したときに、チャレンジ信号を携帯無線装置１１Ａに送信する。
【００６５】
一方、情報処理装置２１は、チャレンジ信号再送１を送信した後、そのチャレンジ信号に対する携帯無線装置１１Ａからのレスポンス信号を受信できない場合、チャレンジ信号再送１を送信した時点から２Ｔ後に、同じチャレンジ信号を再送する。情報処理装置２１は、チャレンジ信号再送２に対する携帯無線装置１１Ａからのレスポンス信号を受信することができれば、先のチャレンジ信号（再送を除く）を携帯無線装置１１Ａに送信してから１６Ｔが経過したときに、チャレンジ信号を携帯無線装置１１Ａに送信する。
【００６６】
さらに、情報処理装置２１は、チャレンジ信号を送信した後、チャレンジ信号再送１を送信した後、およびチャレンジ信号再送２を送信した後、いずれのチャレンジ信号に対しても携帯無線装置１１Ａからのレスポンス信号を受信できない場合、第１モードがサーチモードに遷移することが可能である。そして、情報処理装置２１は、情報処理装置２１に備わる機能の少なくとも一部に対する制限を加える、または、既に制限を加えた状態であればその制限を継続することになる。他方、携帯無線装置１１Ａは、情報処理装置２１からチャレンジ信号（再送を除く）を受信すべき時点から４Ｔ経過すると（つまり、情報処理装置２１が一連の３度のチャレンジ信号の送信にかかる時間経過すると）、２Ｔ間隔の情報処理装置２１に対する認証チャネルのキャリアセンスを中止し、同時点ではサーチチャネルのキャリアセンスのみを行うことになる。なお、ここでは、情報処理装置２１がチャレンジ信号の再送を最大２回送信するシーケンスについて説明したが、再送する回数は何回でもよい（再送なしでもよい）。
【００６７】
なお、携帯無線装置１１Ａは、情報処理装置２１からのチャレンジ信号を受信できたものの、情報処理装置２１が、携帯無線装置１１Ａから送信されたレスポンス信号を受信できない場合もある。携帯無線装置１１Ａは、レスポンス信号を送信した後、情報処理装置２１からのチャレンジ信号再送１、再送２を受信すれば、レスポンス信号を再送することになる。
【００６８】
ここで、図２では、認証モードにおいて、携帯無線装置１１が再送を含めて携帯無線装置１１からのチャレンジ信号を受信できない場合、例えば認証エリアから通信圏外エリアへ携帯無線装置１１が移動したことが考えられる。
【００６９】
チャレンジ信号を送信（再送含む）した情報処理装置２１は、その後携帯無線装置１１Ａから受信するレスポンス信号の受信強度を計測する、または、情報処理装置２１から受信した信号の受信強度を計測する携帯無線装置１１Ａからレスポンス信号を用いてその受信強度を通知されている。レスポンス信号を受信した情報処理装置２１は、携帯無線装置１１Ａとの認証に成功したと判定した場合、そのレスポンス信号から計測したまたは通知された信号の受信強度が所定値未満であれば、認証モードを維持するものの、情報処理装置２１に備わる機能の少なくとも一部に対する制限を継続する。一方、情報処理装置２１は、そのレスポンス信号から計測したまたは通知された信号の受信強度が所定値以上であれば、認証モードを維持し、情報処理装置２１に備わる機能の少なくとも一部に対する制限を解除する。
【００７０】
ここで、図２では、認証モードにおいて信号の受信強度が所定値以上である場合、通常は、携帯無線装置１１が使用権限付与エリアに所在していることを意味する。また、認証モードにおいて信号の受信強度が所定値未満である場合、通常は、携帯無線装置１１が存在確認エリアに所在していることを意味する。ただし、通信状況によっては例外もあり得る。
【００７１】
なお、例えばチャレンジ信号およびレスポンス信号が８ｂｙｔｅの信号である場合には、チャレンジ信号を１ｂｙｔｅずつ８つに分割し、時間１６Ｔ毎に１ｂｙｔｅ分のチャレンジ信号、レスポンス信号の送受信を順に行ってもよい。
【００７２】
また、情報処理装置２１は、時間１６Ｔ毎にそれぞれ計測したまたは通知された複数の信号の受信強度に基づいて、総合的に受信強度が所定値以上か未満かを判定するようにしてもよい。また、情報処理装置２１は、そのレスポンス信号の受信強度を計測する機能と、携帯無線装置１１からレスポンス信号を用いてその受信強度を取得する機能と、を有している場合には、それぞれの機能から得た受信強度のうちの、大きいもの（または小さいもの）が、所定値以上か未満かを判定するようにしてもよい。
【００７３】
ところで、携帯無線装置１１Ａは、第１モードが認証モードである場合にサーチ要求信号を受信すると、サーチ要求信号に対する応答を示すＡＣＫ信号を情報処理装置２１に送信する。また、携帯無線装置１１Ｂ、１１Ｃは、第１モードが認証モードである場合にサーチ要求信号を受信すると、サーチ信号を情報処理装置２１に送信する。これらのサーチ信号およびＡＣＫ信号には、送信元や送信先を示す情報が含まれている。なお、携帯無線装置１１がサーチ要求信号またはＡＣＫ信号を送信する場合には、例えば先に説明した信号衝突を防止する方法を用いることにより、情報処理装置２１は、それぞれの信号を異なるタイミングで受信可能になっている。情報処理装置２１は、携帯無線装置１１Ｂ、Ｃからのサーチ信号および携帯無線装置１１ＡからのＡＣＫ信号を受信すると、それぞれの信号について受信レベルを判定する。なお、このＡＣＫ信号はサーチ信号の一例である。
【００７４】
一方、先に説明したように、レスポンス信号を受信した情報処理装置２１は、携帯無線装置１１Ａとの認証に成功したと判定した場合、そのレスポンス信号から計測したまたは通知された信号の受信強度が所定値未満であれば、認証モードを維持するものの、情報処理装置２１に備わる機能の少なくとも一部を制限する。第１モードが認証モードの場合において、情報処理装置２１は、この機能制限が開始された時点を起点として計時を開始する。そして、情報処理装置２１は、計時開始から携帯無線装置１１からのＡＣＫ信号またはサーチ信号を受信するまでに情報処理装置２１が受信した信号の受信レベルが、所定レベル未満であるか否かを監視する。
【００７５】
情報処理装置２１は、上記の計時開始から所定期間（図２では期間ＴＸ）が経過し、その期間の計時開始から携帯無線装置１１からのＡＣＫ信号またはサーチ信号を受信するまでの受信信号のレベルが継続して所定レベル未満であった場合、所定の切替条件を満たす他の情報処理装置へ無線認証の対象装置を切り替える。なお、期間ＴＸは、後述する図５に示す各携帯無線装置１１毎に定められた使用時間情報Ｔ１、Ｔ２、・・・、ＴＮに相当する。図２では、期間ＴＸはＴ１である。
【００７６】
図２では、サーチ信号およびＡＣＫ信号の受信レベルの判定が、上記の所定期間ＴＸ内に行われているために、この時点では携帯無線装置１１Ａから他の携帯無線装置への切替は行われない。また、情報処理装置２１の機能制限解除中（図２において携帯無線装置１１が使用権限付与エリアに所在する場合）には、他の携帯無線装置が所定の切替条件を満たしているか否かに関わらず、切替は行われない。
【００７７】
なお、所定の切替条件を満たす携帯無線装置としては、以下のような装置がある。
・直前まで使用権限が与えられていた携帯無線装置以外の携帯無線装置の中で、情報処理装置２１との距離が短く、その携帯無線装置からの受信レベルが最大である携帯無線装置
・直前まで使用権限が与えられていた携帯無線装置以外の携帯無線装置の中で、情報処理装置２１において、優先度が最高である携帯無線装置
・直前まで使用権限が与えられていた携帯無線装置以外の携帯無線装置の中で、情報処理装置２１が最初に受信したサーチ信号を送信した携帯無線装置
【００７８】
図３では、まず、各携帯無線装置１１Ａ〜１１Ｃが、情報処理装置２１からのサーチ要求信号を受信し、ＡＣＫ信号またはサーチ信号を情報処理装置２１へ送信する。そして、情報処理装置２１は、ＡＣＫ信号またはサーチ信号を受信すると、それらの信号の受信レベルを判定する。図３では、このサーチ信号およびＡＣＫ信号の受信レベルの判定が、上記の所定期間ＴＸが経過した後に行われており、所定期間（ＴＸ）の計時開始から継続して受信信号の受信レベルが継続して所定レベル未満である場合を想定しており、ここでは、情報処理装置２１が、携帯無線装置１１Ａが上記の所定の切替条件を満たすものとして、携帯無線装置１１Ａから携帯無線装置１１Ｂへ無線認証を行うための携帯無線装置を切り替える。
【００７９】
情報処理装置２１は、サーチ信号に対するサーチ応答を所定の切替条件を満たす携帯無線装置１１Ｂに送信する。携帯無線装置１１Ｂは、サーチ応答を受信すると、省電力状態となっている場合には、省電力状態を解除する。この場合、例えば、キャリアセンスの間隔を通常の状態に戻す。サーチ応答が携帯無線装置１１Ｂに受信された後、情報処理装置２１と携帯無線装置１１Ｂとの間で、キーＩＤ信号、端末ＩＤ信号、チャレンジリクエスト信号、チャレンジ信号、レスポンス信号、およびＡＣＫ信号の送受信が行われる。これらの信号の送受信の方法は、図１にて説明した、情報処理装置２１と携帯無線装置１１Ａとの間で行われるキーＩＤ送信からＡＣＫ信号の送受信について説明した方法と同様である。そして、ＡＣＫ信号を送信または受信した以降、情報処理装置２１および携帯無線装置１１Ｂは、第２モードが認証モードに遷移することになる。
【００８０】
情報処理装置２１は、ＡＣＫ信号を送信することで第２モードが認証モードに遷移すると、第１モードを認証モードからサーチモードへ切り替えるための切替信号を携帯無線装置１１Ａに送信する。携帯無線装置１１Ａは、切替信号を受信し、第１モードをサーチモードへ切り替える。
【００８１】
また、情報処理装置２１が、第１モードが認証モードに遷移する直前のレスポンス信号を受信してから時間２Ｔが経過したとき、その時点までに乱数を発生させて生成しておいたチャレンジ信号を携帯無線装置１１Ａに送信することを先に説明したが、ここでは同様に、第２モードが認証モードに遷移する直前のレスポンス信号を受信してから時間２Ｔが経過したとき、その時点までに乱数を発生させて生成しておいたチャレンジ信号を携帯無線装置１１Ｂに送信する。
【００８２】
なお、第２モードが認証モードである場合の情報処理装置２１および携帯無線装置１１Ｂのチャレンジ信号およびリクエスト信号の送受信処理（再送含む）については、第１モードが認証モードである場合の情報処理装置２１および携帯無線装置１１Ａのチャレンジ信号およびリクエスト信号の送受信処理（再送含む）と同様である。
【００８３】
[本発明の実施形態の携帯無線装置および情報処理装置の構成]
次に、本発明の実施形態の携帯無線装置および情報処理装置の構成について説明する。図４に、本発明の実施形態の携帯無線装置および情報処理装置の機能ブロック図を示す。本発明の実施形態の携帯無線装置１１は、無線認証部１０、各種インタフェース１０４を含んで構成される。また、本発明の実施形態の情報処理装置２１は、無線認証部２０、駆動部３０、駆動制御部４０、ディスプレイ５０、操作部６０、報知部７０、記憶部８０を含んで構成される。また、無線認証部１０は、無線部１０１、タイマ１０２、無線制御部１０３を含んで構成される。また、無線認証部２０は、無線部２０１、タイマ２０２、無線制御部２０３を含んで構成される。
【００８４】
携帯無線装置１１の無線認証部１０において、無線部１０１は、アンテナを介して、４００ＭＨｚ帯特定小電力無線、ＲＦＩＤ（Radio Frequency Identification：無線周波数識別）で使用される短距離通信用の電波やＵＷＢ（Ultra Wide Band：超広帯域無線）等を用いて、ペアリング処理により当該携帯無線装置１１と対に設定した情報処理装置２１の識別コードが含まれる電波の送受信を行う。
【００８５】
無線制御部１０３は、所定の通信プロトコル（すなわち、上記［携帯無線装置と情報処理装置の間での無線認証シーケンス］にて説明した通信プロトコル）に基づき、無線部１０１に送受信させる信号を制御する。無線制御部１０３には、増幅回路、変調回路、復調回路、エンコード回路、デコード回路などの回路が含まれる。また、無線制御部１０３は、無線通信で使用される電波の受信強度（例えば、復調回路に入力される電波の電圧レベルやＳ／Ｎ比、デコード回路によりデコードされたデータの誤り率などを基に算出される）を計測するとともに、その受信強度が予め設定された閾値以上か未満かを判別する。
【００８６】
タイマ１０２は、無線部１０１が情報処理装置２１にレスポンス信号を送信した時点から計時を開始する。
【００８７】
インタフェース１０４は、例えば操作ボタンであり、携帯無線装置１１の外部から入力される信号を適宜無線制御部１０３に出力するデバイスで構成される。
【００８８】
情報処理装置２１の無線認証部２０において、無線部２０１は、アンテナを介して、４００ＭＨｚ帯特定小電力無線、ＲＦＩＤ（Radio Frequency Identification：無線周波数識別）で使用される短距離通信用の電波やＵＷＢ（Ultra Wide Band：超広帯域無線）等を用いて、ペアリング処理により情報処理装置２１と対に設定した携帯無線装置１１の識別コード信号が含まれる電波の送受信を行う。なお、無線部２０１は、受信部としての機能を有する。
【００８９】
無線制御部２０３は、所定の通信プロトコル（すなわち、上記［携帯無線装置と情報処理装置の間での無線認証シーケンス］にて説明した通信プロトコル）に基づき、無線部２０１に送受信させる信号を制御する。無線制御部２０３には、増幅回路、変調回路、復調回路、エンコード回路、デコード回路などの回路が含まれる。また、無線制御部２０３は、無線通信で使用される電波の受信強度（例えば、復調回路に入力される電波レベルの電圧やＳ／Ｎ比、デコード回路によりデコードされたデータの誤り率などを基に算出される）を計測するとともに、その受信強度が予め設定された閾値以上か未満かを判別する。無線制御部２０３は、携帯無線装置１１との認証に失敗した場合、または、携帯無線装置１１から受信した電波の受信強度が所定値未満である場合、使用制限要求信号を駆動制御部４０に出力して、情報処理装置２１に備わる機能の少なくとも一部に対して制限を施す。一方、無線制御部２０３は、携帯無線装置１１との認証に成功し、かつ、携帯無線装置１１から受信した電波の受信強度が所定値以上である場合、使用制限解除信号を駆動制御部４０に出力し、情報処理装置２１に備わる機能に施されている制限を解除する。なお、無線制御部２０３は、受信レベル測定部としての機能を有する。
【００９０】
タイマ２０２は、無線部２０１が携帯無線装置１１からレスポンス信号を受信した時点から計時を開始する。また、タイマ２０２は、携帯無線装置１１から受信する各種信号のフレーム同期に合わせて、計時時刻を携帯無線装置１１のタイムに合わせて補正するものとする。また、タイマ１０２は、上記所定期間ＴＸの計時を行う。また、その他必要な計時を行う。
【００９１】
なお、無線認証部２０は、複数の携帯無線装置から所定の無線認証（認証処理）を行う携帯無線装置を指定する装置指定部、所定の認証処理を行う認証処理部、情報処理装置２１の設定を変更する設定変更部、所定の認証処理を行う携帯無線装置を指定する際（切り替える際を含む）に情報処理装置２１によって処理されている処理情報を記憶部８０に記録する処理情報記録部としての機能を有する。
【００９２】
駆動制御部４０は、無線制御部２０３から使用制限要求信号を通知されている期間中、情報処理装置２１により実行可能な各種駆動部３０に対して、その機能の実行に制限を加える。また、駆動制御部４０は、報知部７０による報知出力を制御する。また、駆動制御部４０は、情報処理装置２１内の各種の設定の変更を行う。また、駆動制御部４０は、無線認証部２０からの状態・結果に基づき、元の処理状態に復元を行う。なお、駆動制御部４０は、上記の処理情報をレジューム情報として情報処理装置２１の状態を復元する状態復元部としての機能を有する。
【００９３】
記憶部８０は、各種データやプログラムを記憶する。また、記憶部８０は、携帯無線装置１１に関する情報を携帯無線装置毎に記憶したＫＥＹ管理情報テーブル８０ａを有する。このＫＥＹ管理情報テーブル８０ａには、携帯無線装置１１の名称を示すＫＥＹ名、携帯無線装置１１の識別情報を示すＫＥＹ  ＩＤ、携帯無線装置１１からの信号の受信レベルを示す受信レベル情報、携帯無線装置１１が所在するエリアを示す所在情報、携帯無線装置１１の保持するユーザＩＤの情報やパスワードの情報を示すセキュリティ情報、携帯無線装置１１に使用権限が付与されているか否かを示す使用権限付与状況情報、携帯無線装置１１を使用権限が与えられた状態で使用可能な情報を示す使用時間情報、携帯無線装置１１毎の個別の設定情報を示す個別設定情報、前回の起動停止時の状態を示すレジューム情報などが記憶されている。ＫＥＹ管理情報テーブル８０ａの一例を図５に示す。なお、図５に示したＫＥＹ管理情報テーブル８０ａの有する項目は一例であり、他の項目を有するようにしてもよい。
【００９４】
なお、本発明の携帯無線装置の一形態としては、ワイヤレスキーが考えられるが、ワイヤレスキーに限るものではなく、携帯電話、ＰＤＡ、無線カードなどの電子機器が一機能として本発明の携帯無線装置を含む形態であっても構わない。
【００９５】
また、本発明の情報処理装置の一形態としては、ＰＣ、携帯電話、ＰＤＡやその他の電子機器が考えられる。
【００９６】
［情報処理装置の動作の一例］
次に、いずれかの携帯無線装置が認証モードである場合、情報処理装置２１がサーチ信号またはＡＣＫ信号を受信してからサーチ応答を送信するまでの動作の一例について説明する。図６は、いずれかの携帯無線装置が認証モードである場合、情報処理装置２１が、サーチ信号またはＡＣＫ信号を受信してからサーチ応答を送信するまでの動作の一例を示すフローチャートである。なお、図６の処理には、上記の所定の切替条件を満たしているか否かの判定が含まれる。
【００９７】
まず、無線認証部２０は、携帯無線装置１１からのサーチ信号およびＡＣＫ信号の少なくとも一方を受信する（ステップＳ１０１）。
【００９８】
続いて、無線認証部２０は、ステップＳ１０１において受信した認証モードである携帯無線装置からのＡＣＫ信号の受信レベルが所定の閾値以上か否かを判定する（ステップＳ１０２）。
【００９９】
このＡＣＫ信号の受信レベルが所定の閾値以上であると判定された場合には、無線認証部２０が、この受信レベル（認証モードである携帯無線装置からのＡＣＫ信号の受信レベル）の情報を記憶部８０へ記憶させ（ステップＳ１０４）、図６の処理を終了する。
【０１００】
一方、このＡＣＫ信号の受信レベルが所定の閾値未満であると判定された場合には、無線認証部２０が、認証モードでない携帯無線装置からのサーチ信号の受信レベルの情報を記憶部８０へ記憶させる（ステップＳ１０３）。なお、サーチ信号が所定の閾値以上であることが前提である。サーチ信号が所定の閾値未満である場合には、図６には図示しないが、サーチ応答を返さずに終了する。
【０１０１】
続いて、無線認証部２０が、タイマ２０２を用いて、認証モードである携帯無線装置の所定期間ＴＸが経過したか否かを判定する（ステップＳ１０５）。所定期間ＴＸは携帯無線装置毎に異なる値とすることが可能であり、ＫＥＹ管理情報テーブル８０ａに記憶された使用時間情報Ｔ１、Ｔ２、・・・、ＴＮに相当する。
【０１０２】
所定期間ＴＸが経過したと判定された場合、無線認証部２０は、認証モードでなく、かつ、ステップＳ１０１においてサーチ信号を情報処理装置２１によって受信された携帯無線装置について、記憶部８０のＫＥＹ管理情報テーブル８０ａを参照して優先度を比較し、最高の優先度が複数であるか否かを判定する（ステップＳ１０６）。
【０１０３】
最高の優先度が１つだけである場合、無線認証部２０は、その優先度が最高の携帯無線装置を情報処理装置２１との間で無線認証を行う携帯無線装置として決定する（ステップＳ１０７）。
【０１０４】
最高の優先度が複数である場合、無線認証装置２０は、認証モードでなく、かつ、ステップＳ１０１においてサーチ信号を情報処理装置２１によって受信された携帯無線装置について、記憶部８０のＫＥＹ管理情報テーブル８０ａを参照してサーチ信号の受信レベルを比較し、最高の受信レベルが複数であるか否かを判定する（ステップＳ１０８）。
【０１０５】
最高の受信レベルが１つだけである場合、無線認証部２０は、その受信レベルが最高の携帯無線装置を情報処理装置２１との間で無線認証を行う携帯無線装置として決定する（ステップＳ１０９）。
【０１０６】
最高の受信レベルが複数である場合、無線認証部２０は、応答の最も早かった、つまり、情報処理装置２１が最初に受信したサーチ信号を送信した携帯無線装置を情報処理装置２１との間で無線認証を行う携帯無線装置として決定する（ステップＳ１１０）。
【０１０７】
そして、無線認証部２０は、ステップＳ１０７、Ｓ１０９、Ｓ１１０のいずれかにおいて決定された携帯無線装置にサーチ応答を送信する（ステップＳ１１１）。
【０１０８】
次に、いずれの携帯無線装置もサーチモードである場合、情報処理装置２１がサーチ信号を受信してからサーチ応答を送信するまでの動作の一例について説明する。図７は、いずれの携帯無線装置もサーチモードである場合、情報処理装置２１が、サーチ信号を受信してからサーチ応答を送信するまでの動作の一例を示すフローチャートである。なお、図７の処理には、上記の所定の切替条件を満たしているか否かの判定が含まれる。
【０１０９】
まず、無線認証部２０は、携帯無線装置１１からのサーチ信号を受信する（ステップＳ２０１）。
【０１１０】
続いて、無線認証部２０は、ステップＳ２０１で受信したサーチ信号の受信レベルの情報を記憶部８０に記憶させる（ステップＳ２０２）。ここでもＳ１０３と同様に、受信したサーチ信号の受信レベルが所定の閾値以上の場合を前提としている。なお、受信レベルが所定の閾値未満である場合には、図示しないがサーチ応答を送信せずに終了する。
【０１１１】
続いて、無線認証部２０は、記憶部８０のＫＥＹ管理情報テーブル８０ａを参照し、優先度を比較し、最高の優先度が複数であるか否かを判定する（ステップＳ２０３）。
【０１１２】
最高の優先度が１つだけである場合、無線認証部２０は、その優先度が最高の携帯無線装置を情報処理装置２１との間で無線認証を行う携帯無線装置として決定する（ステップＳ２０４）。
【０１１３】
最高の優先度が複数である場合、無線認証装置２０は、記憶部８０のＫＥＹ管理情報テーブル８０ａを参照し、サーチ信号の受信レベルを比較し、最高の受信レベルが複数であるか否かを判定する（ステップＳ２０５）。
【０１１４】
最高の受信レベルが１つだけである場合、無線認証部２０は、その受信レベルが最高の携帯無線装置を情報処理装置２１との間で無線認証を行う携帯無線装置として決定する（ステップＳ２０６）。
【０１１５】
最高の受信レベルが複数である場合、無線認証部２０は、応答の最も早かった、つまり、情報処理装置２１が最初に受信したサーチ信号を送信した携帯無線装置を情報処理装置２１との間で無線認証を行う携帯無線装置として決定する（ステップＳ２０７）。
【０１１６】
そして、無線認証部２０は、ステップＳ２０４、Ｓ２０６、Ｓ２０７のいずれかにおいて決定された携帯無線装置にサーチ応答を送信する（ステップＳ２０８）。
【０１１７】
なお、図７および図８において、携帯無線装置の優先度、信号の受信レベル、信号の受信時間を順に判断することを示したが、この以外の順に判断し、携帯無線装置を選択するようにしてもよい。
【０１１８】
さらに、情報処理装置２１は、図７および図８の処理以外にも様々な処理を実施可能である。例えば、情報処理装置２１は、無線認証を行う携帯無線装置１１が切り替えられる場合、設定情報の一例である個別設定情報を参照し、無線認証を行う携帯無線装置に応じて切替前後で情報処理装置２１の設定情報を変更することが可能である。また、情報処理装置２１は、無線認証を行う携帯無線装置１１を例えば第１の携帯無線装置から第２の携帯無線装置に切り替える際に、切替時の情報処理装置２１の処理情報をレジューム情報として携帯無線装置毎に記憶部８０に記録することが可能である。また、情報処理装置２１は、例えば上記第２の携帯無線装置へ切り替えた後に上記第１の携帯無線装置へ再び切り替える際に、第１の携帯無線装置のレジューム情報を参照して、情報処理装置２１の状態を復元することが可能である。
【０１１９】
以上、本発明の実施形態の携帯無線装置および情報処理装置によれば、特定の携帯無線装置と情報処理装置との間でのみ無線認証を許可することが可能である。例えば、記憶部８０に記憶された優先度が最高の携帯無線装置、サーチ信号等の受信レベルが最高の携帯無線装置、情報処理装置２１が最初に受信したサーチ要求信号に対するサーチ信号を送信した携帯無線装置などを、情報処理装置２１との間で無線認証を行う装置として選択可能である。
【０１２０】
また、無線認証を行っている携帯無線装置が認証エリアから認証エリアの外側の通信圏外エリアへ移動した場合、他の携帯無線装置へ所定の認証処理を行う携帯無線装置を切り替えることが可能である。例えば、他の携帯無線装置のうち、記憶部８０に記憶された優先度が最高の携帯無線装置、サーチ信号等の受信レベルが最高の携帯無線装置、情報処理装置２１が最初に受信したサーチ要求信号に対するサーチ信号を送信した携帯無線装置などを、情報処理装置２１との間で無線認証を行う装置として選択可能である。
【０１２１】
また、使用権限付与期間後の所定期間内には他の携帯無線装置へ切り替えを行うことを禁止することによって、例えば、複数のワイヤレスキー（携帯無線装置の一例）のうち、情報処理装置２１との間で行う通信の受信レベルが最高のワイヤレスキーとの無線認証を行う場合には、例えば複数人で情報処理装置２１の操作をする際、頻繁に認証対象のワイヤレスキーが切り替わることを予防することが可能であり、ユーザの利便性が向上する。また、使用権限付与エリアに入ることなく認証エリアから通信エリアに無線認証を行う携帯無線装置が移動してしまった場合には、認証エリアへ侵入してから所定期間後に他の携帯無線装置へ切り替えることも可能である。
【０１２２】
また、無線認証を行う携帯無線装置に応じて、情報処理装置２１の設定変更や処理情報の記録、レジューム情報としての処理情報に基づく復元などを行うことが可能であり、ユーザの利便性が向上、安全性の向上、プライバシーの保護を実現できる。
【産業上の利用可能性】
【０１２３】
本発明の情報処理装置、携帯無線装置、認証方法、およびプログラムによれば、特定の携帯無線装置と情報処理装置との間でのみ無線認証を許可することが可能であるという効果を奏し、無線通信を利用して認証を行う携帯無線装置、情報処理装置の分野に関して有用である。
【図面の簡単な説明】
【０１２４】
【図１】本発明の実施形態の携帯無線装置および情報処理装置による第１モードがサーチモード時のシーケンス
【図２】本発明の実施形態の携帯無線装置および情報処理装置によるマスターモードが認証モード時のシーケンス
【図３】本発明の実施形態の携帯無線装置および情報処理装置によるマスターモードが認証モード時のシーケンスの他例
【図４】本発明の実施形態の携帯無線装置および情報処理装置の機能ブロック図
【図５】本発明の実施形態のＫＥＹ管理情報テーブルの一例を示す図
【図６】本発明の実施形態において、いずれかの携帯無線装置が認証モードである場合、情報処理装置がサーチ信号またはＡＣＫ信号を受信してからサーチ応答を送信するまでの動作の一例を示すフローチャート
【図７】本発明の実施形態において、いずれの携帯無線装置もサーチモードである場合、情報処理装置がサーチ信号を受信してからサーチ応答を送信するまでの動作の一例を示すフローチャート
【図８】本発明の実施形態の携帯無線装置および情報処理装置の位置関係の示す図
【符号の説明】
【０１２５】
１１、１１Ａ〜１１Ｊ  携帯無線装置（ＫＥＹ）
１０  無線認証部
１０１  無線部
１０２  タイマ
１０３  無線制御部
１０４  インタフェース
２１  情報処理装置
２０  無線認証部
２０１  無線部
２０２  タイマ
２０３  無線制御部
３０  駆動部
４０  駆動制御部
５０  ディスプレイ
６０  操作部
７０  報知部
８０  記憶部
【図１】
0004834650.tif 000002
【図２】
0004834650.tif 000003
【図３】
0004834650.tif 000004
【図４】
0004834650.tif 000005
【図５】
0004834650.tif 000006
【図６】
0004834650.tif 000007
【図７】
0004834650.tif 000008
【図８】
0004834650.tif 000009